【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
第１の通信端末から、画像の種類を示す画像種類情報を受信する受信手段と、
前記画像種類情報の受信に基づき、前記第１の通信端末から第２の通信端末に送信する画像データを識別するための画像データ識別情報を生成する生成手段と、
前記第１の通信端末に前記生成された画像データ識別情報を送信し、前記第２の通信端末に前記生成された画像データ識別情報及び前記受信された画像種類情報を送信する送信手段と、
を有することを特徴とする通信管理システム。
【請求項２】
請求項１に記載の通信管理システムであって、
所定の映像通話の通信セッションを識別するための所定のセッション識別情報、及び所定の複数の通信端末の各宛先を関連付けて管理するセッション管理手段を有し、
前記送信手段は、前記セッション管理手段において、特定のセッション識別情報に前記第１の通信端末の宛先と共に関連付けられている前記第２の通信端末の宛先に対して、前記画像データ識別情報及び前記画像種類情報を送信することを特徴とする通信管理システム。
【請求項３】
前記画像の種類は、平面画像、及び全天球パノラマ画像であることを特徴とする請求項１又は２に記載の通信管理システム。
【請求項４】
請求項１乃至３のいずれか一項に記載の通信管理システムと、
前記第１の通信端末と、
を有することを特徴とする通信システム。
【請求項５】
前記第１の通信端末は、全天球パノラマ画像データを得る撮影装置から取得したＧＵＩＤに基づいて画像種類の判断を行い、当該判断の結果を示す前記画像種類情報を前記通信管理システムに送信することを特徴とする請求項４に記載の通信システム。
【請求項６】
請求項１乃至３のいずれか一項に記載の通信管理システムと、
前記第２の通信端末と、
を有することを特徴とする通信システム。
【請求項７】
前記第２の通信端末は、前記画像種類情報が全天球パノラマ画像である旨を示す場合には、前記第１の通信端末が送信した画像データに基づき、全天球パノラマ画像データを作成することを特徴とする請求項６に記載の通信システム。
【請求項８】
前記第１の通信端末及び前記第２の通信端末は、ビデオ会議端末、パーソナルコンピュータ、スマートフォン、デジタルテレビ、スマートウオッチ、又はカーナビゲーション装置であることを特徴とする請求項１乃至３のいずれか一項に記載の通信管理システム。
【請求項９】
第１及び第２の通信端末の通信を管理する通信管理システムが実行する通信管理方法であって、
前記通信管理システムは、
前記第１の通信端末から、画像の種類を示す画像種類情報を受信する受信ステップと、
前記画像種類情報の受信に基づき、前記第１の通信端末から第２の通信端末に送信する画像データを識別するための画像データ識別情報を生成する生成ステップと、
前記第１の通信端末に前記生成された画像データ識別情報を送信し、前記第２の通信端末に前記生成された画像データ識別情報及び前記受信された画像種類情報を送信する送信ステップと、
を実行することを特徴とする通信管理方法。
【請求項１０】
コンピュータに、第１及び第２の通信端末の通信を管理する通信管理システムとして機能させるプログラムであって、前記コンピュータに、
前記第１の通信端末から、画像の種類を示す画像種類情報を受信する受信処理と、
前記画像種類情報の受信に基づき、前記第１の通信端末から第２の通信端末に送信する画像データを識別するための画像データ識別情報を生成する生成処理と、
前記第１の通信端末に前記生成された画像データ識別情報を送信し、前記第２の通信端末に前記生成された画像データ識別情報及び前記受信された画像種類情報を送信する送信処理と、を実行させることを特徴とするプログラム。
【請求項１１】
他の通信端末から送信された画像データを識別するための画像データ識別情報と画像データを受信する受信手段と、
前記受信手段で受信した画像データ識別情報に対応する画像種類情報に基づき、前記画像データから全天球パノラマ画像を作成する作成手段と、
前記作成手段で作成された前記全天球パノラマ画像の一部の領域を示す所定領域画像を表示する表示手段と、
を有することを特徴とする通信端末。
【請求項１２】
撮影装置と接続された他の通信端末から撮影された画像データを受信する通信端末であって、
前記撮影装置の識別情報に基づいて判断された画像種類情報から生成された前記画像データを識別するための画像データ識別情報と前記撮影装置で撮影された画像データとを受信する受信手段と、
前記受信手段で受信した画像データ識別情報に対応する画像種類情報に基づき、前記画像データから全天球パノラマ画像を作成する作成手段と、
前記作成手段で作成された前記全天球パノラマ画像の一部の領域を示す所定領域画像を表示する表示手段と、
を有することを特徴とする通信端末。
【請求項１３】
前記作成手段は、前記画像データ識別情報に対応する画像種類情報が一般画像である場合、平面画像の一部の領域を示す所定領域画像を作成することを特徴とする請求項１１又は１２に記載の通信端末。
【請求項１４】
前記画像種類情報は、前記画像データを撮影した撮影装置に関する情報であることを特徴とする請求項１１乃至１３のいずれか一項に記載の通信端末。
【請求項１５】
撮影装置と接続された第１の通信端末と、通信管理システムを介して第２の通信端末と画像データを送受信するシステムであって、
前記第１の通信端末は、
前記撮影装置が撮影した画像データの画像種類を判断する判断手段と、
前記判断手段で判断された結果に基づき、画像種類情報を作成する第１の作成手段と、
前記撮影装置が撮影した画像データと前記第１の作成手段が作成した前記画像種類情報を前記通信管理システムに送信する第１の送信手段とを有し、
前記通信管理システムは、
前記第１の送信手段から送信された前記画像データ及び画像種類情報を受信する受信手段と、
前記画像種類情報に基づき、前記画像データを識別するための画像データ識別情報を生成する生成手段と、
前記受信手段が受信した前記画像データ識別情報、前記画像種類情報及び前記画像データを関連づけて記憶する記憶手段と、
前記画像データ識別情報と前記画像データを前記第２の通信端末に送信する第２の送信手段とを有し、
前記第２の通信端末は、
前記通信管理システムから前記画像データ識別情報と前記画像データを受信する第２の受信手段と、
前記通信管理システムを介して前記第１の通信端末から受信した前記画像データ識別情報に対応する画像種類情報に対応する画像種別情報に基づいて、前記画像データから全天球パノラマ画像を作成する第２の作成手段と、
前記第２の作成手段で作成された前記全天球パノラマ画像の一部の領域を示す所定領域画像を表示する表示手段と、
を有することを特徴とするシステム。
【請求項１６】
前記画像種類情報は、前記画像データを撮影した撮影装置に関する情報であることを特徴とする請求項１５に記載のシステム。
【請求項１７】
他の通信端末から送信された画像データを扱う通信端末が実行する通信方法であって、
前記通信端末は、
他の通信端末から送信された画像データを識別するための画像データ識別情報と画像データを受信する受信ステップと、
前記受信ステップで受信した画像データ識別情報に対応する画像種類情報に基づき、前記画像データから全天球パノラマ画像を作成する作成ステップと、
前記作成ステップで作成された前記全天球パノラマ画像の一部の領域を示す所定領域画像を表示する表示ステップと、
を実行することを特徴とする通信方法。
【請求項１８】
撮影装置と接続された他の通信端末から撮影された画像データを受信する通信端末が実行する通信方法であって、
前記通信端末は、
前記撮影装置の識別情報に基づいて判断された画像種類情報から生成された前記画像データを識別するための画像データ識別情報と前記撮影装置で撮影された画像データとを受信する受信ステップと、
前記受信ステップで受信した画像データ識別情報に対応する画像種類情報に基づき、前記画像データから全天球パノラマ画像を作成する作成ステップと、
前記作成ステップで作成された前記全天球パノラマ画像の一部の領域を示す所定領域画像を表示する表示ステップと、
を実行することを特徴とする通信方法。
【請求項１９】
撮影装置と接続された第１の通信端末と、通信管理システムを介して第２の通信端末と画像データを送受信するシステムによって実行される通信方法であって、
前記第１の通信端末は、
前記撮影装置が撮影した画像データの画像種類を判断する判断ステップと、
前記判断ステップで判断された結果に基づき、画像種類情報を作成する第１の作成ステップと、
前記撮影装置が撮影した画像データと前記第１の作成ステップで作成された前記画像種類情報を前記通信管理システムに送信する第１の送信ステップとを実行し、
前記通信管理システムは、
前記第１の送信ステップで送信された前記画像データ及び画像種類情報を受信する受信ステップと、
前記画像種類情報に基づき、前記画像データを識別するための画像データ識別情報を生成する生成ステップと、
前記受信ステップで受信した前記画像データ識別情報、前記画像種類情報及び前記画像データを関連づけて記憶する記憶ステップと、
前記画像データ識別情報と前記画像データを前記第２の通信端末に送信する第２の送信ステップとを実行し、
前記第２の通信端末は、
前記通信管理システムから前記画像データ識別情報と前記画像データを受信する第２の受信ステップと、
前記通信管理システムを介して前記第１の通信端末から受信した前記画像データ識別情報に対応する画像種類情報に対応する画像種別情報に基づいて、前記画像データから全天球パノラマ画像を作成する第２の作成ステップと、
前記第２の作成ステップで作成された前記全天球パノラマ画像の一部の領域を示す所定領域画像を表示する表示ステップと、
を実行することを特徴とする通信方法。
【手続補正２】
【補正対象書類名】明細書
【補正対象項目名】発明の名称
【補正方法】変更
【補正の内容】
【発明の名称】通信管理システム、通信システム、通信管理方法、プログラム、通信端末、システム及び通信方法
【手続補正３】
【補正対象書類名】明細書
【補正対象項目名】０００１
【補正方法】変更
【補正の内容】
【０００１】
本発明は、通信管理システム、通信システム、通信管理方法、プログラム、通信端末、システム及び通信方法に関するものでる。